(57)【要約】【課題】頭部と柄部のガタツキの修理を容易とし、しかも、部品点数と加工工数も減らし、構成が簡単な付け替え頭部方式の小型ハンマーを提供する。【解決手段】柄部挿入穴４とこの柄部挿入穴４に直交する付け替え頭部結合面５を有し、この付け替え頭部結合面５に柄部挿入穴４に達する止めねじ穴６が貫通形成された頭部本体１ａと、頭部本体１ａの止めねじ穴６と同じねじ穴径のねじ穴７が形成された付け替え頭部１ｂと、前記頭部本体１ａの止めねじ穴６の長さ及び前記付け替え頭部１ｂのねじ穴７の長さの和とほぼ同じ長さとされた止めねじ３と、前記柄部挿入穴４に挿入固定される柄部２とからなり、前記止めねじ３によって頭部本体１ａと柄部２との固定手段と、頭部本体１ａと付け替え頭部１ｂとの結合手段とを兼用させた。【選択図】      図１
2004202608.tif 000002
【特許請求の範囲】
【請求項１】
柄部挿入穴とこの柄部挿入穴に直交する付け替え頭部結合面を有し、この付け替え頭部結合面に柄部挿入穴に達する止めねじ穴が貫通形成された頭部本体と、
頭部本体の止めねじ穴と同じねじ穴径のねじ穴が形成された付け替え頭部と、前記頭部本体の止めねじ穴の長さ及び前記付け替え頭部のねじ穴の長さの和とほぼ同じ長さとされた止めねじと、
前記柄部挿入穴に挿入固定される柄部とからなり、
前記止めねじによって頭部本体と柄部との固定手段と、頭部本体と付け替え頭部との結合手段とを兼用させたことを特徴とする小型ハンマー。
【請求項２】
前記止めねじの頭部には、角穴、マイナス溝、プラス溝等のドライバー工具の係合凹部が形成してあることを特徴とする請求項１に記載の小型ハンマー。
【請求項３】
前記付け替え頭部結合面を両端に有する頭部本体の場合、少なくとも一端の付け替え頭部と頭部本体との結合を、前記止めねじによって頭部本体と柄部との固定手段と、頭部本体と付け替え頭部との結合手段とを兼用させてあることを特徴とする請求項１又は２に記載の小型ハンマー。
【発明の詳細な説明】
【０００１】
【発明の属する技術分野】
本発明は、細密作業等に使用される手作業用の小型ハンマーに関する。
【０００２】
【従来の技術】
従来、手作業用のハンマーの頭部と柄部との結合には、頭部に形成されている柄部挿入穴にクサビ部材を柄部の長手方向に沿って打ち込んで柄部を頭部の穴に拡開させるなどにより圧接させて結合するのが一般的であるが、細密作業等に使用される小型ハンマーの場合では、クサビ部材を打ち込むと柄部が割れて強度が低下し、折れ易くなり、また、クサビ部材の打ち込みスペースが十分でないため仮に打ち込んでも抜け易いなどの理由により、通常では、図３に示すように、ロールピン１１を柄部挿入穴１２に直交して打ち込んで頭部１３と柄部１４とを結合している。この結合方法に類似した先行技術文献として、例えば、特許文献１がある。
【０００３】
また、細密作業に使用されている小型ハンマーは、図３に示すように、頭部１３が、頭部本体１３ａと付け替え頭部１３ｂとに分離して構成され、作業の内容や工作対象物の材質等に応じて、付け替え頭部１３ｂを樹脂製のものや軟質金属製、木製のもの等にその都度付け替え得るように構成されており、そのための構成として、頭部本体１３ａに雄ねじ１６を形成し、この雄ねじ１６に螺合する雌ねじ穴１７を付け替え頭部１３ｂに形成している。この方式の先行技術文献として、例えば、特許文献２がある。
【０００４】
【特許文献１】
実開平６−７１０７８号公報
【特許文献２】
特開平７−２０５０４６号公報
【０００５】
【発明が解決しようとする課題】
しかしながら、従来のロールピン１１による頭部１３と柄部１４の結合構造では、乾燥等により使用経過とともに柄部１４が痩せて細くなって柄部挿入穴１２内でスキマができ、頭部１３が柄部１４に対してガタツキを生じるといった問題点があった。特に、小型ハンマーの場合、細密な作業に用いることが多いため、上記のようなガタツキは致命傷となり、その都度修理を行う必要がある。この修理は、例えば、ロールピン１１の交換では全く対応できないのであり、通常では、柄部１４の先端の細くなった部分を切除して太い部分を削って前記穴１２に合わせるようにし、さらにロールピン１１の挿入穴１５を柄部１４の先端に新たに明け直す必要があり、ガタツキを防止するための修理が容易ではなかった。しかも、このような修理は、その都度、柄部１４が短くなっていくため、何度も繰り返すことができず、改善が要望されていた（特許文献１も同様である）。
【０００６】
なお、特許文献２における頭部と柄部の結合は、両部材を直接螺合させ、これに直交する方向からセットスクリュー（止めねじ）をねじ込んで回り止めしているもので、このセットスクリューは、付け替え頭部を頭部本体に結合するためのねじとは別に設けており、これでは、部品点数が増加し、ねじ穴加工の工数も増加するばかりでなく、特に、細密作業に用いられる小型ハンマーの場合では、柄部が軽量化のために木製や竹製とされており、柄部先端に雄ねじを形成することが困難で、仮に形成しても雄ねじ径が細くなるため、折れ易くなる等の問題点がある。
【０００７】
そこで、本発明は、上記問題点及び要望に鑑み、頭部と柄部のガタツキの修理を容易とし、しかも、部品点数と加工工数も減らし、構成が簡単な付け替え頭部方式の小型ハンマーを提供するようにしたものである。
【０００８】
【課題を解決するための手段】
この技術的課題を解決するための本発明の技術的手段は、柄部挿入穴とこの柄部挿入穴に直交する付け替え頭部結合面を有し、この付け替え頭部結合面に柄部挿入穴に達する止めねじ穴が貫通形成された頭部本体と、頭部本体の止めねじ穴と同じねじ穴径のねじ穴が形成された付け替え頭部と、前記頭部本体の止めねじ穴の長さ及び前記付け替え頭部のねじ穴の長さの和とほぼ同じ長さとされた止めねじと、前記柄部挿入穴に挿入固定される柄部とからなり、前記止めねじによって頭部本体と柄部との固定手段と、頭部本体と付け替え頭部との結合手段とを兼用させたことを特徴としている。
【０００９】
この構成によれば、頭部と柄部のガタツキの修理は、従来のように細くなった柄部先端を切除して太い部分を削り出し、さらにロールピン穴を明けるような手数が省略でき、単に、付け替え頭部を外して止めねじを締め込んで頭部と柄部のガタツキを除去することができ、何回でも繰り返すことができる。そして、止めねじの締め込みで頭部と柄部のガタツキを除去した後、付け替え頭部を元通りにねじ込んで戻せばよいので頭部と柄部のガタツキの修理が簡単で容易である。また、繰り返し修理しても柄部の長さが短くならず、元通りの長さを維持できるため、修理後のバランスが変化せず、使い勝手が悪化することもない。さらに、止めねじを、頭部と柄部の固定手段と頭部本体と付け替え頭部との結合手段とに兼用させ得ることによって、部品点数と加工工数も減らすことができ、この種の付け替え頭部方式の小型ハンマーの構成を簡単化することができる。
【００１０】
また、本発明の技術的手段は、前記止めねじの頭部には、角穴、マイナス溝、プラス溝等のドライバー工具の係合凹部が形成してあることを特徴としている。この構成によれば、頭部と柄部との固定操作を行う際、止めねじの締め付けを適宜のドライバー工具によって容易に実施することができる。
また、本発明の技術的手段は、前記付け替え頭部結合面を両端に有する頭部本体の場合、少なくとも一端の付け替え頭部と頭部本体との結合を、前記止めねじによって頭部本体と柄部との固定手段と、頭部本体と付け替え頭部との結合手段とを兼用させてあることを特徴としている。
【００１１】
この構成によれば、頭部本体の両端に付け替え頭部を結合する場合、両方とも本発明の結合構造としてもよいが、場合によっては、一方の結合構造だけ本発明の結合構造とし、他方は別の結合構造（例えば、従来の結合構造）としてもよいものである。
【００１２】
【発明の実施の形態】
以下、本発明の実施の形態を図面に基づいて説明する。
図１及び図２は本発明に係る小型ハンマーの実施の一形態を示すものである。本発明の小型ハンマーは、頭部１が、頭部本体１ａと付け替え頭部１ｂとに分離して構成され、作業の内容や工作対象物の材質等に応じて、付け替え頭部１ｂを樹脂製のものや軟質金属製、木製、硬質金属製のもの等にその都度付け替え得るように構成されている点は従来と同様であるが、頭部１と柄部２との固定手段と、頭部本体１ａと付け替え頭部１ｂとの結合手段を止めねじ３で兼用させた点が従来とは異なるものである。
【００１３】
そのための構成として、頭部本体１ａには、柄部挿入穴４とこの柄部挿入穴４に直交する付け替え頭部結合面５を形成し、この付け替え頭部結合面５に柄部挿入穴４に達する止めねじ穴６を貫通して形成している。
そして、付け替え頭部１ｂには、頭部本体１ａの止めねじ穴６と同じねじ穴径のねじ穴７を形成している。このねじ穴７は奥が閉鎖した底付きの盲穴とされている。
また、止めねじ３は、前記頭部本体１ａの止めねじ穴６の長さ及び前記付け替え頭部１ｂのねじ穴７の長さの和とほぼ同じ長さとされており、全長に亘ってその外周面に雄ねじが刻設されている。そして、この止めねじ３の頭部には、角穴、マイナス溝、プラス溝等のドライバー工具の係合凹部８が形成されている。
【００１４】
前記頭部本体１ａは、真鍮その他の金属材料で構成されており、柄部２は、軽量化のために、通常、木製（樫等）や竹製とされている。柄部２の先端部は、頭部本体１ａの柄部挿入穴４に適合する形状に削られている。柄部挿入穴４は、通常、小判型形状とされているが、他の形状であってもよい。
本発明に係る小型ハンマーの実施形態の構成は以上の通りであって、頭部１と柄部２を固定するには、柄部２の先端を頭部本体１ａの柄部挿入穴４に挿入嵌合し、止めねじ３を止めねじ穴６に適宜のドライバー工具を使用してねじ込み、止めねじ３の先端を柄部２の先端側面に圧接する（図２参照）。これによって、頭部１と柄部２との固定は終了する。
【００１５】
次に、頭部本体１ａと付け替え頭部１ｂとを結合するには、前記止めねじ３の頭部を利用して行う。そのために、止めねじ３は、頭部本体１ａの止めねじ穴６の長さ及び前記付け替え頭部１ｂのねじ穴７の長さの和とほぼ同じ長さとしており、柄部２と頭部１とを圧接固定した状態においては、図２に示すように、止めねじ３の頭部が頭部本体１ａより付け替え頭部１ｂのねじ穴７の長さ相当分だけ突出している。この突出部に、付け替え頭部１ｂのねじ穴７をねじ込み、付け替え頭部１ｂを頭部本体１ａの付け替え頭部結合面５に圧接させる。これで頭部本体１ａと付け替え頭部１ｂとの結合は終了する。
【００１６】
付け替え頭部１ｂを別のものに付け替えるときは、元のものを外して新しいものを付け替えればよい。また、柄部２に対して頭部１がガタツキを生じている場合には、付け替え頭部１ｂを一旦、外して止めねじ３の頭部を露出させ、適宜のドライバー工具を係合凹部８に係合させてねじ込むことにより、止めねじ３の先端を押し進めて柄部２の先端部を頭部本体１ａの柄部挿入穴４に強く圧接させてスキマを除去し、ガタツキを解消する。この後、付け替え頭部１ｂを元通りにねじ込むことによって、ガタツキの修理は終了する。
【００１７】
以上のように、本発明の実施形態によれば、頭部１と柄部２のガタツキの修理は、従来のように細くなった柄部先端を切除して太い部分を削り出し、さらにロールピン穴を明けるような手数が省略でき、単に、付け替え頭部１ｂを外して止めねじ３を締め込み、その後、付け替え頭部１ｂを元通りにねじ込んで戻せばよいので簡単で容易である。また、繰り返し修理しても柄部２の長さが短くならず、元通りの長さを維持できるため、修理後の使い勝手が悪化することもない。さらに、止めねじ３を、頭部１と柄部２の固定手段と、頭部本体１ａと付け替え頭部１ｂとの結合手段とに兼用させたことによって、部品点数と加工工数も減らすことができ、この種の付け替え頭部方式の小型ハンマーの構成を簡単化することができる。
【００１８】
なお、本発明は、上記実施の形態に限定されるものではない。即ち、頭部本体１ａの両端に付け替え頭部１ｂを結合する場合、両方とも本発明の結合構造としてもよいが、場合によっては、一方の結合構造だけ本発明の結合構造とし、他方は別の結合構造（例えば、従来の結合構造）としてもよい。
【００１９】
【発明の効果】
本発明によれば、頭部と柄部のガタツキの修理を容易とし、しかも、部品点数と加工工数も減らし、構成が簡単な付け替え頭部方式の小型ハンマーを提供することが可能となる。
【図面の簡単な説明】
【図１】本発明に係る小型ハンマーの一実施形態の分解斜視図である。
【図２】本発明に係る小型ハンマーの一実施形態における頭部と柄部の結合状態を示す断面図である。
【図３】従来の小型ハンマーの分解斜視図である。
【符号の説明】
１    頭部
１ａ  頭部本体
１ｂ  付け替え頭部
２    柄部
３    止めねじ
４    柄部挿入穴
５    付け替え頭部結合面
６    止めねじ穴
７    ねじ穴
８    係合凹部
【図１】
2004202608.tif 000003
【図２】
2004202608.tif 000004
【図３】
2004202608.tif 000005